(57)【要約】【課題】簡素な構成でノイズ影響を低減できる空気調和機を提供する。【解決手段】本空気調和機は、第１ユニット（１０）と第２ユニット（２０）とを備えた空気調和機（１）であって、第１ユニットと第２ユニットとは、連絡電力線（６２）および連絡アース線（７２）で接続され、第１ユニットは、連絡電力線（６２）と第１ユニットのアース（Ｅ）との間に接続されるコンデンサ（１４ａ）を備え、連絡電力線（６２）および連絡アース線（７２）は、磁性体（４０）の孔を貫通し、磁性体（４０）は、第１ユニットおよび第２ユニットの一方から他方に向かって連絡電力線（６２）および連絡アース線（７２）に電流が流れた場合に、連絡電力線（６２）に流れた電流によって磁性体（４０）に生じる磁束の向きと、連絡アース線（７２）に流れた電流によって磁性体（４０）に生じる磁束の向きが同一となるように構成される。【選択図】図１
2020165562.tif 000002
【特許請求の範囲】
【請求項１】
第１ユニット（１０）と第２ユニット（２０）とを備えた空気調和機（１）であって、
前記第１ユニット（１０）と前記第２ユニット（２０）とは、前記第１ユニット（１０）から前記第２ユニット（２０）に給電する連絡電力線（６２）および前記第１ユニット（１０）と前記第２ユニット（２０）とのアース（Ｅ）を接続する連絡アース線（７２）で接続され、
前記第１ユニット（１０）は、前記連絡電力線（６２）と前記第１ユニット（１０）のアース（Ｅ）との間に接続されるコンデンサ（１４ａ）を備え、
前記連絡電力線（６２）および前記連絡アース線（７２）は、磁性体（４０）の孔を貫通し、
前記磁性体（４０）は、前記第１ユニット（１０）および前記第２ユニット（２０）の一方から他方に向かって前記連絡電力線（６２）および前記連絡アース線（７２）に電流が流れた場合に、前記連絡電力線（６２）に流れた電流によって前記磁性体（４０）に生じる磁束の向きと、前記連絡アース線（７２）に流れた電流によって前記磁性体（４０）に生じる磁束の向きが同一となるように構成される
空気調和機。
【請求項２】
前記第１ユニット（１０）から給電される第３ユニット（３０）をさらに備え、
前記第１ユニット（１０）は、前記第２ユニット（２０）および前記第３ユニット（３０）と前記第１ユニット（１０）とを接続する接続端子（１８）をさらに備え、
前記磁性体（４０）は、前記接続端子（１８）と前記コンデンサ（１４ａ）との間に設けられる
請求項１の空気調和機。
【請求項３】
前記連絡アース線（７２）は、前記第１ユニット（１０）と前記第２ユニット（２０）との間で冷媒を循環する冷媒配管（８０）である
請求項１または２に記載の空気調和機。
【請求項４】
第１ユニット（１０）と第２ユニット（２０）とを備えた空気調和機（１）であって、
前記第１ユニット（１０）は、連絡電力線（６２）とアース（Ｅ）との間に接続されるコンデンサ（１４ａ）と、アース（Ｅ）に接続されて導電性を有する筐体（１１）および前記筐体（１１）から突出する導電性を有する突起（９０）と、を備え、
前記第１ユニット（１０）と前記第２ユニット（２０）とは、前記第１ユニット（１０）から前記第２ユニット（２０）に給電する連絡電力線（６２）および前記第１ユニット（１０）と前記第２ユニット（２０）とのアース（Ｅ）を接続する連絡アース線（７２）で接続され、
前記突起（９０）は、前記連絡アース線（７２）と接続され、
前記連絡電力線（６２）および前記突起（９０）は、磁性体（４０）の孔を貫通し、
前記磁性体（４０）は、前記第１ユニット（１０）および前記第２ユニット（２０）の一方から他方に向かって前記連絡電力線（６２）および前記連絡アース線（７２）に電流が流れた場合に、前記連絡電力線（６２）に流れた電流によって前記磁性体（４０）に生じる磁束の向きと、前記連絡アース線（７２）に流れた電流によって前記磁性体（４０）に生じる磁束の向きが同一となるように構成される
空気調和機。
【発明の詳細な説明】
【技術分野】
【０００１】
本開示は、空気調和機に関する。
【背景技術】
【０００２】
１つの室外ユニットと１つまたは複数の室内ユニットとを接続する空気調和機において、各ユニットが備えるインバータ回路がノイズ電流の発生源となる。低周波帯のノイズ電流は、主に伝導ノイズとして電力線やアース線を伝搬し、高周波帯のノイズ電流は、電力線やアース線をアンテナとし、主に放射ノイズとして空間を伝搬する。従来のノイズ対策として、伝導ノイズを低減するためのノイズフィルタと、放射ノイズを低減するためのフェライトコアが、各ユニットに設けられる。このため、１つの室外ユニットと１つまたは複数の室内ユニットとを接続する空気調和機において、複数のノイズフィルタおよびフェライトコアが必要となる。特許文献１は、複数のフェライトコアがノイズ対策として電動ユニットに設けられる構成を開示する。
【先行技術文献】
【特許文献】
【０００３】
【特許文献１】特開２００８−１２５２４８号公報
【発明の概要】
【発明が解決しようとする課題】
【０００４】
図６に示される外部電源１５０に接続される室外ユニット１１０と、室外ユニット１１０から給電される室内ユニット１２０と、を備えた空気調和機１００において、室内ユニット１２０の制御基板１２３に設けられるインバータ回路１２７のスイッチングにより、ノイズ電流が発生する。ノイズ電流は連絡電力線１６２および連絡アース線１７２を経由し、伝導ノイズとして接続端子１１８に接続される機器１３０に伝搬する。本来、室内ユニット１２０から発生する伝導ノイズを低減するために、室内ユニット１２０にノイズフィルタ１２４が設けられる。また、室外ユニット１１０から発生する伝導ノイズを低減するために、室外ユニット１１０にノイズフィルタ１１４が設けられる。しかし、本開示の発明者は、室外ユニット１１０のノイズフィルタ１１４を室内ユニット１２０から発生する伝導ノイズを低減するノイズフィルタとしても利用できることを見出した。室内ユニット１２０から発生したノイズ電流が、ノイズ経路Ｎ１を還流することによって、接続端子１１８に接続される機器１３０に伝搬するノイズが低減される。ノイズ経路Ｎ１は、モータ１２２、室内ユニット１２０の筐体１２１、連絡アース線１７２、室外ユニット１１０の筐体１１１、ノイズフィルタ１１４、第１連絡電力線１６３、連絡電力線１６２および第２連絡電力線１６４を含む。室外ユニット１１０のノイズフィルタ１１４を利用して室内ユニット１２０から発生する伝導ノイズを低減することで、室内ユニット１２０のノイズフィルタ１２４を簡素化または削除することができる。
【０００５】
図７は、図６に示される空気調和機１００において、磁性体１４０を設けて室外ユニット１１０から発生する放射ノイズの対策を実施した構成を開示する。室外ユニット１１０の制御基板１１３に設けられるインバータ回路１１７のスイッチングにより、ノイズ電流が発生する。ノイズ電流がノイズ経路Ｅ１を流れることで、連絡電力線１６２をアンテナとした放射ノイズが発生する。ノイズ経路Ｅ１は、モータ１１２、室外ユニット１１０の筐体１１１、アースＥ、連絡電力線１６２、第１連絡電力線１６３を含む。ノイズ経路Ｅ１中の第１連絡電力線１６３に磁性体１４０を設けることにより、ノイズ電流が低減され、放射ノイズが低減される。
【０００６】
しかし、図７に示される空気調和機１００において、本開示の発明者は、インバータ回路１２７のスイッチングにより発生したノイズ電流のうち、ノイズ経路Ｎ１の電流が低減し、ノイズ経路Ｎ２の電流が増加することを見出した。ノイズ経路Ｎ２は、モータ１２２、筐体１２１、連絡アース線１７２、接続端子１１８、連絡アース線１３２、機器１３０、連絡電力線１３１、連絡電力線１６２および第２連絡電力線１６４を含む。ノイズ経路Ｎ１の電流が低減しノイズ経路Ｎ２の電流が増加する要因として、第１連絡電力線１６３に磁性体１４０が設けられたことにより、磁性体１４０部分の経路の抵抗が増加し、室外ユニット１１０のノイズフィルタ１１４に流れるノイズ電流が低減し、還流が妨げられることを見出した。
【０００７】
本開示は、このような知見に基づき、簡素な構成でノイズ影響を低減できる空気調和機を提供することを目的とする。
【課題を解決するための手段】
【０００８】
第１の観点に係る空気調和機は、第１ユニットと第２ユニットとを備えた空気調和機であって、前記第１ユニットと前記第２ユニットとは、前記第１ユニットから前記第２ユニットに給電する連絡電力線および前記第１ユニットと前記第２ユニットとのアースを接続する連絡アース線で接続され、前記第１ユニットは、前記連絡電力線と前記第１ユニットのアースとの間に接続されるコンデンサを備え、前記連絡電力線および前記連絡アース線は、磁性体の孔を貫通し、前記磁性体は、前記第１ユニットおよび前記第２ユニットの一方から他方に向かって前記連絡電力線および前記連絡アース線に電流が流れた場合に、前記連絡電力線に流れた電流によって前記磁性体に生じる磁束の向きと、前記連絡アース線に流れた電流によって前記磁性体に生じる磁束の向きが同一となるように構成される。
【０００９】
この構成によれば、磁性体により、第１ユニット由来の連絡電力線をアンテナとした放射ノイズが低減される。さらに、第１ユニット由来の連絡アース線をアンテナとした放射ノイズが低減される。一方で、連絡電力線および連絡アース線を流れて、第１ユニットと第２ユニットとの間を還流する第２ユニット由来のノイズ電流は、前記連絡電力線および前記連絡アース線を逆向きに流れるため、前記連絡電力線に流れた電流によって前記磁性体に生じる磁束の向きと、前記連絡アース線に流れた電流によって前記磁性体に生じる磁束の向きは逆向きとなり、磁束同士が打ち消されるため、還流が妨げられない。これにより、簡素な構成でノイズ影響を低減できる。
【００１０】
第２の観点に係る空気調和機によれば、前記第１ユニットから給電される第３ユニットをさらに備え、前記第１ユニットは、前記第２ユニットおよび前記第３ユニットと前記第１ユニットとを接続する接続端子をさらに備え、前記磁性体は、前記接続端子と前記コンデンサとの間に設けられる。
【００１１】
この構成によれば、第２ユニット由来の伝導ノイズが第３ユニットに流れることを簡素な構成で抑制できる。
第３の観点に係る空気調和機によれば、前記連絡アース線は、前記第１ユニットと前記第２ユニットとの間で冷媒を循環する冷媒配管である。
【００１２】
この構成によれば、連絡アース線として冷媒配管を使用するため、簡素な構成でノイズ影響を低減できる。
第４の観点に係る空気調和機は、第１ユニットと第２ユニットとを備えた空気調和機であって、前記第１ユニットは、連絡電力線とアースとの間に接続されるコンデンサと、アースに接続されて導電性を有する筐体および前記筐体から突出する導電性を有する突起と、を備え、前記第１ユニットと前記第２ユニットとは、前記第１ユニットから前記第２ユニットに給電する連絡電力線および前記第１ユニットと前記第２ユニットとのアースを接
続する連絡アース線で接続され、前記突起は、前記連絡アース線と接続され、前記連絡電力線および前記突起は、磁性体の孔を貫通し、前記磁性体は、前記第１ユニットおよび前記第２ユニットの一方から他方に向かって前記連絡電力線および前記連絡アース線に電流が流れた場合に、前記連絡電力線に流れた電流によって前記磁性体に生じる磁束の向きと、前記突起に流れた電流によって前記磁性体に生じる磁束の向きが同一となるように構成される。
【００１３】
この構成によれば、磁性体により、第１ユニット由来の連絡電力線をアンテナとした放射ノイズが低減される。さらに、第１ユニット由来の連絡アース線をアンテナとした放射ノイズが低減される。一方で、連絡電力線および連絡アース線を流れて第１ユニットと第２ユニットとの間を還流する第２ユニット由来のノイズ電流は、前記連絡電力線および前記突起を逆向きに流れるため、前記連絡電力線に流れた電流によって前記磁性体に生じる磁束の向きと、前記突起に流れた電流によって前記磁性体に生じる磁束の向きは逆向きとなり、磁束同士が打ち消されるため、還流が妨げられない。これにより、簡素な構成でノイズ影響を低減できる。
【発明の効果】
【００１４】
本発明に関する空気調和機によれば、簡素な構成でノイズ影響を低減できる。
【図面の簡単な説明】
【００１５】
【図１】第１実施形態の空気調和機の概略構成を示す回路図。
【図２】図１に記載の空気調和機に関して、第３ユニットを含む空気調和機の概略構成を示す回路図。
【図３】第２実施形態の空気調和機の概略構成を示す回路図。
【図４】第３実施形態の空気調和機の概略構成を示す回路図。
【図５】変形例の空気調和機の概略構成を示す回路図。
【図６】空気調和機におけるノイズフィルタ配置の一例を示す回路図。
【図７】図６の空気調和機に関して、磁性体配置の一例を示す回路図。
【発明を実施するための形態】
【００１６】
（第１実施形態）
以下、図１および図２を参照して第１実施形態の空気調和機１について説明する。なお、本開示は、以下に記載する例示に限定されるものではなく、特許請求の範囲によって示され、特許請求の範囲と均等の意味及び範囲内での全ての変更が含まれることが意図される。
【００１７】
空気調和機１は、外部電源５０と接続される第１ユニット１０と第１ユニット１０から電力を供給される第２ユニット２０とを含む。一例では、第１ユニット１０は、屋外に設置される室外ユニットであり、第２ユニット２０は、屋内の天井裏や壁面等に取り付けられる室内ユニットである。以下、第１ユニット１０を室外ユニット、第２ユニット２０を室内ユニットとして説明する。外部電源５０は、交流電源である。第１ユニット１０と外部電源５０とは、電力線６０およびアース線７０で接続される。アース線７０は、アースＥに対して接地する。第１ユニット１０と第２ユニット２０とは、連絡電力線６２、連絡アース線７２および冷媒配管８０で接続される。連絡電力線６２は、外部電源５０からの電力を第２ユニット２０に供給する。連絡アース線７２は、第１ユニット１０と第２ユニット２０とのアースＥを接続する。冷媒配管８０は、冷媒が充填され、第１ユニット１０と第２ユニット２０との間で冷媒を循環する。冷媒配管８０は導電性を有する材料で形成され、一例は銅である。
【００１８】
第１ユニット１０は、筐体１１を備える。筐体１１は、導電性を有する材料で構成され
、一例は板金である。筐体１１の中には、モータ１２およびモータ１２に対して電力を供給するための制御基板１３が設けられる。一例では、モータ１２は、圧縮機または送風機の少なくとも１つを駆動する。制御基板１３は、伝導ノイズを低減するノイズフィルタ１４、外部電源５０からの交流電力を直流電力に変換する整流回路１５、交流電力を除去する平滑回路１６および直流電力を交流電力に変換するインバータ回路１７を含む。ノイズフィルタ１４は、特定の周波数の電流を低減する。ノイズフィルタ１４は、コンデンサ１４ａおよびコイル１４ｂを備える。筐体１１と制御基板１３とは、第１アース線７１ａで接続される。コンデンサ１４ａは、連絡電力線６２とアースＥとを接続する接続線に設けられる。
【００１９】
第１ユニット１０は、筐体１１の内外の電力線とアース線を接続するための接続端子１８を備える。接続端子１８の一例は、端子台である。接続端子１８は、第１接続端子１８ａおよび第２接続端子１８ｂを含む。第１接続端子１８ａは、外部電源５０との間に設けられ、電力線６０を筐体１１内に接続する。第２接続端子１８ｂは、第２ユニット２０との間に設けられ、連絡電力線６２および連絡アース線７２を筐体１１内に接続する。第１接続端子１８ａから筐体１１内に伸びる第１電力線６１は、制御基板１３およびモータ１２に接続される。第２接続端子１８ｂから筐体１１内に伸びる第１連絡電力線６３は、制御基板１３上の第１電力線６１と接続される。第２接続端子１８ｂから筐体１１内に伸びる第１アース線７１ｂは、筐体１１に接続される。
【００２０】
第１ユニット１０は、筐体１１内に磁性体４０を備える。磁性体４０は、第１連絡電力線６３および第１アース線７１ｂが貫通する孔を備える。磁性体４０は、第１ユニット１０および第２ユニット２０の一方から他方に向かって第１連絡電力線６３および第１アース線７１ｂに電流が流れた場合に、第１連絡電力線６３に流れた電流によって磁性体４０に生じる磁束の向きと、第１アース線７１ｂに流れた電流によって磁性体４０に生じる磁束の向きが同一となるように構成される。一例では、磁性体４０は、フェライトコアである。フェライトコアは、１または複数のフェライトコアの集合によって形成される。第１連絡電力線６３および第１アース線７１ｂは、磁性体４０の孔を単に貫通していてもよく、磁性体４０に１または複数回巻き付いていてもよい。
【００２１】
第１ユニット１０は、図示しない冷媒回路を形成するための第１冷媒機器、送風機および制御装置をさらに備える。第１冷媒機器は、冷媒配管８０と接続される。第１冷媒機器は、圧縮機、四路切換弁、熱交換器および閉鎖弁を含む。圧縮機は、冷媒を吸入して冷媒を圧縮した後、吐出する。一例では、圧縮機は、スクロール型式またはスクリュー型式の容積式圧縮機である。四路切替弁、熱交換器および閉鎖弁は、図示しない第１ユニット１０内の冷媒配管に設けられる。送風機は、第１ユニット１０外に流出する空気流を生成する。制御装置は、例えばインバータ回路１７のスイッチングを制御する。制御装置は、予め定められる制御プログラムを実行する演算処理装置及び記憶部を含む。演算処理装置は、例えばＣＰＵ（Central Processing Unit）又はＭＰＵ（Micro Processing Unit）を含む。記憶部には、各種の制御プログラム及び各種の制御処理に用いられる情報が記憶される。記憶部は、例えば不揮発性メモリ及び揮発性メモリを含む。
【００２２】
第２ユニット２０は、筐体２１を備える。筐体２１は、導電性を有する材料で構成され、一例は板金である。筐体２１の中には、モータ２２およびモータ２２に対して電力を供給するための制御基板２３が設けられる。一例では、モータ２２は、送風機を駆動する。制御基板２３は、伝導ノイズを低減するノイズフィルタ２４、第１ユニット１０からの交流電力を直流電力に変換する整流回路２５、交流電力を除去する平滑回路２６および直流電力を交流電力に変換するインバータ回路２７を含む。ノイズフィルタ２４は、特定の周波数の電流を低減する。ノイズフィルタ２４は、コンデンサ２４ａおよびコイル２４ｂを備える。筐体２１と制御基板２３とは、第２アース線７３で接続される。
【００２３】
第２ユニット２０は、筐体２１の内外の電力線とアース線を接続するための接続端子２８を備える。接続端子２８の一例は、端子台である。接続端子２８は、第１ユニット１０との間に設けられ、連絡電力線６２を筐体２１内に接続する。接続端子２８から筐体２１内に伸びる第２連絡電力線６４は、制御基板２３およびモータ２２に接続される。
【００２４】
第２ユニット２０は、図示しない冷媒回路を形成するための第２冷媒機器、送風機および制御装置をさらに備える。第２冷媒機器は、冷媒配管８０と接続される。第２冷媒機器は、熱交換器を含む。送風機は、第２ユニット２０外に冷風または温風を吹き出す空気流を生成する。制御装置は、例えばインバータ回路２７のスイッチングを制御する。制御装置は、予め定められる制御プログラムを実行する演算処理装置及び記憶部を含む。
【００２５】
空気調和機１は、複数の浮遊容量Ｃ１、Ｃ２、Ｃ３、Ｃ４、Ｃ５およびＣ６が形成される。浮遊容量Ｃ１は、モータ１２と第１ユニット１０の筐体１１との浮遊容量である。浮遊容量Ｃ２は、第１ユニット１０の筐体１１とアースＥとの浮遊容量である。浮遊容量Ｃ３は、アースＥと連絡アース線７２との浮遊容量である。浮遊容量Ｃ４は、アースＥと連絡電力線６２との浮遊容量である。浮遊容量Ｃ５は、第２ユニット２０の筐体２１とアースＥとの浮遊容量である。浮遊容量Ｃ６は、モータ２２と第２ユニット２０の筐体２１との浮遊容量である。
【００２６】
図２に示される空気調和機１は、第１ユニット１０から電力を供給される第３ユニット３０をさらに備える場合を示す。第３ユニット３０は、第２ユニット２０と同一の構成を備える。第３ユニット３０は、第２接続端子１８ｂにより第１ユニット１０と接続されてもよく、第１接続端子１８ａおよび第２接続端子１８ｂとは異なる図示しない第３接続端子により第１ユニット１０と接続されていてもよい。第３ユニット３０が第３接続端子により第１ユニット１０と接続される場合、第３接続端子は、図示しない連絡電力線および連絡アース線により第２接続端子１８ｂと接続される。図示される例では、第３ユニットと第２接続端子１８ｂとは、連絡電力線３１および連絡アース線３２で接続される。
【００２７】
第１実施形態の空気調和機１の作用について説明する。
空気調和機１の運転が開始されると、制御基板２３のインバータ回路２７のスイッチングに伴い、モータ２２の浮遊容量Ｃ６を介して、筐体２１にノイズ電流が流れる。筐体２１に流れたノイズ電流の一部は、連絡アース線７２を介して、第１ユニット１０に流れる。第１ユニット１０に流れたノイズ電流は、第１アース線７１ｂ、筐体１１、第１アース線７１ａ、ノイズフィルタ１４、第１連絡電力線６３および連絡電力線６２を介して、制御基板２３のインバータ回路２７に戻る。制御基板２３のインバータ回路２７のスイッチングに伴い発生するノイズ電流の一部が、図６に示されるノイズ経路Ｎ１を通って還流するため、伝導ノイズは第１ユニット１０のノイズフィルタ１４により低減される。低減される伝導ノイズは、第２接続端子１８ｂにおける雑音端子電圧である。
【００２８】
空気調和機１の運転が開始されると、制御基板１３のインバータ回路１７のスイッチングに伴い、モータ１２の浮遊容量Ｃ１を介して筐体１１にノイズ電流が流れる。筐体１１に流れたノイズ電流の一部は、浮遊容量Ｃ２を介してアースＥに流れ、アースＥから浮遊容量Ｃ４を介して連絡電力線６２に流れる。連絡電力線６２に流れるノイズ電流は、第２接続端子１８ｂおよび第１連絡電力線６３を介して、制御基板１３のインバータ回路１７に戻る。制御基板１３のインバータ回路１７のスイッチングに伴い発生するノイズ電流の一部は、図７に示されるノイズ経路Ｅ１を通る。また、筐体１１に流れたノイズ電流の一部は、浮遊容量Ｃ２を介してアースＥに流れ、アースＥから浮遊容量Ｃ３を介して連絡アース線７２に流れる。連絡アース線７２に流れるノイズ電流は、第２接続端子１８ｂおよび第１アース線７１ｂ、筐体１１、第１アース線７１ａを介して、制御基板１３のインバ
ータ回路１７に戻る。制御基板１３のインバータ回路１７のスイッチングに伴い発生するノイズ電流の一部は、ノイズ経路Ｅ２を通る。ノイズ経路Ｅ２は、モータ１２、第１ユニット１０の筐体１１、アースＥ、連絡アース線７２、第１アース線７１ｂ、第１ユニット１０の筐体１１および第１アース線７１ａを含む。ノイズ経路Ｅ１およびノイズ経路Ｅ２を流れるノイズ電流は、第１連絡電力線６３および第１アース線７１ｂに設けられる磁性体４０を通過する際に、磁性体４０の磁気損失作用により磁界成分が熱に変換されることで低減される。
【００２９】
第１実施形態の空気調和機１の効果について説明する。
第２ユニット２０の運転により発生した伝導ノイズを、第１ユニット１０のノイズフィルタ１４により低減できるため、第２ユニット２０のノイズフィルタ２４を簡素化または削除できる。また、第１ユニット１０の運転により発生した連絡電力線６２をアンテナとした放射ノイズと、さらに、連絡アース線７２をアンテナとした放射ノイズが、磁性体４０により低減できる。このため、簡素な構成でノイズ対策を実施できる。
【００３０】
磁性体４０の孔には、第１連絡電力線６３および第１アース線７１ｂが貫通する。第１ユニット１０と第２ユニット２０との間を還流する第２ユニット２０由来のノイズ電流は、第１連絡電力線６３および第１アース線７１ｂを逆向きに流れる。第１連絡電力線６３に流れた電流によって磁性体４０に生じる磁束の向きと、第１アース線７１ｂに流れた電流によって磁性体４０に生じる磁束の向きは逆向きとなり、磁束同士が打ち消されるため、磁性体４０が還流を妨げない。このため、第２ユニット２０の運転により発生した伝導ノイズが低減できる。
【００３１】
（第２実施形態）
図３を参照して、第２実施形態の空気調和機１について説明する。本実施形態の空気調和機１は、第１実施形態の空気調和機１と比較して、連絡アース線７２に代わり、冷媒配管８０が磁性体４０の孔を貫通する点が相違する。以下の説明において、便宜上、第１実施形態の空気調和機１の構成要素の機能と共通する構成要素には同一符号を付し、その機能の説明を省略する。
【００３２】
制御基板２３のインバータ回路２７のスイッチングにより発生したノイズ電流は、冷媒配管８０を介して、第１ユニット１０に流れる。冷媒配管８０は、磁性体４０の孔を貫通する。貫通した冷媒配管８０は、筐体１１と図示しない導電性を有する接合部材で接続される。ノイズ電流は、筐体１１、第１アース線７１ａ、ノイズフィルタ１４、第１連絡電力線６３、連絡電力線６２、第２連絡電力線６４を介して、制御基板２３のインバータ回路２７に戻る。インバータ回路２７から発生した伝導ノイズは、第１ユニット１０のノイズフィルタ１４により低減される。
【００３３】
第２実施形態の空気調和機１によれば、さらに以下の効果が得られる。
冷媒配管８０が、第１ユニット１０と第２ユニット２０とのアースＥを接続する連絡アース線として作用する。このため、連絡アース線７２の構成を省略でき、より簡素な構成でノイズ対策を実施できる。
【００３４】
（第３実施形態）
図４を参照して、第３実施形態の空気調和機１について説明する。本実施形態の空気調和機１は、第１実施形態または第２実施形態の空気調和機１と比較して、第１ユニット１０に連絡アース線７２を接続するための突起９０が設けられている点が相違する。以下の説明において、便宜上、第１実施形態または第２実施形態の空気調和機１の構成要素の機能と共通する構成要素には同一符号を付し、その機能の説明を省略する。
【００３５】
第１ユニット１０は、筐体１１から突出する突起９０を備える。突起９０は、本体９１および接続端子９２を含む。本体９１は、導電性を有する材料で形成される。一例では、本体９１は、筐体１１と同じ板金で構成される。接続端子９２は、連絡アース線７２と本体９１とを接続する。第１連絡電力線６３および本体９１は、磁性体４０の孔を貫通する。
【００３６】
制御基板２３のインバータ回路２７のスイッチングにより発生したノイズ電流は、連絡アース線７２を介して、本体９１に流れる。本体９１に流れたノイズ電流は、筐体１１、第１アース線７１ａ、ノイズフィルタ１４、第１連絡電力線６３、連絡電力線６２および第２連絡電力線６４を介して、制御基板２３のインバータ回路２７に戻る。インバータ回路２７から発生した伝導ノイズは、第１ユニット１０のノイズフィルタ１４により低減される。
【００３７】
（変形例）
上記各実施形態は本開示に関する空気調和機が取り得る形態の例示であり、その形態を制限することを意図していない。本開示に関する空気調和機は上記各実施形態に例示された形態とは異なる形態を取り得る。その一例は、上記各実施形態の構成の一部を置換、変更、もしくは、省略した形態、又は上記各実施形態に新たな構成を付加した形態である。以下の変更例において、上記各実施形態の形態と共通する部分については、上記各実施形態と同一の符号を付してその説明を省略する。
【００３８】
・第１接続端子１８ａおよび第２接続端子１８ｂの少なくとも１つは、第１ユニット１０の筐体１１から離れた場所に設けられていてもよい。図５は、第２接続端子１８ｂが第１ユニット１０の筐体１１と第２ユニット２０の筐体２１との間に設けられる構成を開示する。磁性体４０は、第２接続端子１８ｂよりも筐体１１側の連絡電力線６２および連絡アース線７２または第１連絡電力線６３および第１アース線７１ｂに設けられる。
【００３９】
・図５に記載される変形例の空気調和機１において、第２接続端子１８ｂの構成を省略してもよい。
・第１実施形態から第３実施形態において、第１ユニット１０が室内ユニットであり、第２ユニット２０が室外ユニットであってもよい。
【００４０】
・連絡電力線６２、連絡アース線７２および冷媒配管８０が磁性体４０の孔を貫通する構成であってもよい。
・筐体１１および筐体２１は、一部が導電性を有する材料により形成されていてもよい。一例は、板金である。導電性を有する部分がアースＥに接続される。
【００４１】
以上、本開示の実施形態を説明したが、特許請求の範囲に記載された本開示の趣旨および範囲から逸脱することなく、形態や詳細の多様な変更が可能なことが理解されるであろう。
【符号の説明】
【００４２】
１  …空気調和機
１０  …第１ユニット
１１  …筐体
１２  …モータ
１３  …制御基板
１４  …ノイズフィルタ
１４ａ…コンデンサ
１４ｂ…コイル
１５  …整流回路
１６  …平滑回路
１７  …インバータ回路
１８  …接続端子
１８ａ…第１接続端子
１８ｂ…第２接続端子
２０  …第２ユニット
２１  …筐体
２２  …モータ
２３  …制御基板
２４  …ノイズフィルタ
２４ａ…コンデンサ
２４ｂ…コイル
２５  …整流回路
２６  …平滑回路
２７  …インバータ回路
２８  …接続端子
３０  …第３ユニット
３１  …連絡電力線
３２  …連絡アース線
４０  …磁性体
５０  …外部電源
６０  …電力線
６１  …第１電力線
６２  …連絡電力線
６３  …第１連絡電力線
６４  …第２連絡電力線
７０  …アース線
７１  …第１アース線
７１ａ…第１アース線
７１ｂ…第１アース線
７２  …連絡アース線
７３  …第２アース線
８０  …冷媒配管
９０  …突起
９１  …本体
９２  …接続端子
１００…空気調和機
１１０…室外ユニット
１１１…筐体
１１２…モータ
１１３…制御基板
１１４…ノイズフィルタ
１１７…インバータ回路
１１８…接続端子
１２０…室内ユニット
１２１…筐体
１２２…モータ
１２３…制御基板
１２４…ノイズフィルタ
１２７…インバータ回路
１３０…機器
１３１…連絡電力線
１３２…連絡アース線
１４０…磁性体
１５０…外部電源
１６２…連絡電力線
１６３…第１連絡電力線
１６４…第２連絡電力線
１７２…連絡アース線
１８０…冷媒配管
Ｎ１  …ノイズ経路
Ｎ２  …ノイズ経路
Ｅ１  …ノイズ経路
Ｅ２  …ノイズ経路
Ｅ    …アース
【図１】
2020165562.tif 000003
【図２】
2020165562.tif 000004
【図３】
2020165562.tif 000005
【図４】
2020165562.tif 000006
【図５】
2020165562.tif 000007
【図６】
2020165562.tif 000008
【図７】
2020165562.tif 000009